(57)【要約】  建物に残された者を効率的に避難させることができるエレベータ装置を提供する。エレベータ装置は、救出階においてエレベータの乗場に設けられた避難運転モード要求スイッチと、前記避難運転モード要求スイッチが操作された状態に維持されている場合は、前記救出階と避難階との間を行き来する避難運転モードでの動作を維持するかごと、前記救出階において前記エレベータの乗場に設けられ、前記かごが前記救出階に停止している際に操作された場合に前記かごを前記避難階へ移動させる動作制御装置と、を備えた。
2015040669.tif 000002
【特許請求の範囲】
【請求項１】
救出階においてエレベータの乗場に設けられた避難運転モード要求スイッチと、
前記避難運転モード要求スイッチが操作された状態に維持されている場合は、前記救出階と避難階との間を行き来する避難運転モードでの動作を維持するかごと、
前記救出階において前記エレベータの乗場に設けられ、前記かごが前記救出階に停止している際に操作された場合に前記かごを前記避難階へ移動させる動作制御装置と、
を備えたエレベータ装置。
【請求項２】
前記動作制御装置は、前記かごが前記救出階に停止している際に操作された場合に前記エレベータの扉を閉鎖する請求項１に記載のエレベータ装置。
【請求項３】
前記エレベータの乗場に設けられ、前記避難運転モード要求スイッチが操作された救出階に対応した番号を表示する救出階表示装置と、
前記エレベータの乗場に設けられ、前記かごの移動方向を表示する移動方向表示装置と、
を備えた請求項１又は請求項２に記載のエレベータ装置。
【請求項４】
前記救出階の乗場又は前記かご内に設けられ、避難に前記かごを利用できる旨を表示する避難誘導表示装置、
を備えた請求項１〜請求項３のいずれか一項に記載のエレベータ装置。
【請求項５】
前記避難階の乗場に設けられ、避難に前記かごを利用している旨を表示する使用状態表示装置、
を備えた請求項１〜請求項４のいずれか一項に記載のエレベータ装置。
【請求項６】
前記救出階以外の階において前記エレベータの乗場に設けられ、前記避難運転モード要求スイッチが操作された状態に維持されている際に前記かごへ進入できない旨を表示する第１進入禁止表示装置、
を備えた請求項１〜請求項５のいずれか一項に記載のエレベータ装置。
【請求項７】
前記救出階の乗場と前記避難階の乗場と前記かご内に設けられ、互いを利用して通話し得るように設けられた通報装置、
を備えた請求項１〜請求項６のいずれか一項に記載のエレベータ装置。
【請求項８】
前記避難階の乗場に設けられた強制帰着運転モード要求スイッチ、
を備え、
前記かごは、前記強制帰着運転モード要求スイッチが操作された際に前記避難階に帰着する請求項１〜請求項７のいずれか一項に記載のエレベータ装置。
【請求項９】
前記救出階の乗場及び前記避難階の乗場に設けられ、前記強制帰着運転モード要求スイッチが操作された際に前記かごへ進入できない旨を表示する第２進入禁止表示装置、
を備えた請求項８に記載のエレベータ装置。
【発明の詳細な説明】
【技術分野】
【０００１】
この発明は、エレベータ装置に関する。
【背景技術】
【０００２】
例えば、特許文献１には、エレベータ装置が記載されている。当該エレベータ装置においては、救出階と避難階とが設定される。避難運転モード時において、かごは、救出階と避難階との間を行き来する。この際、かごは、特定者用呼び入力装置が操作された救出階の呼びに応答する。このため、特定者用呼び入力装置が操作された救出階から優先的に利用者を避難させることができる。
【先行技術文献】
【特許文献】
【０００３】
【特許文献１】国際公開第２００９／０４７８４３号
【特許文献２】国際公開第２００７／０３７０３１号
【特許文献３】国際公開第２０１３／００１６４３号
【発明の概要】
【発明が解決しようとする課題】
【０００４】
しかしながら、特許文献１に記載のものにおいては、特定者用呼び入力装置を操作した利用者の避難を前提としている。このため、当該救出階から大量の利用者を避難させる場合の効率が悪い。【０００５】
この発明は、上述の課題を解決するためになされた。この発明の目的は、建物に残された者を効率的に避難させることができるエレベータ装置を提供することである。
【課題を解決するための手段】
【０００６】
この発明に係るエレベータ装置は、救出階においてエレベータの乗場に設けられた避難運転モード要求スイッチと、前記避難運転モード要求スイッチが操作された状態に維持されている場合は、前記救出階と避難階との間を行き来する避難運転モードでの動作を維持するかごと、前記救出階において前記エレベータの乗場に設けられ、前記かごが前記救出階に停止している際に操作された場合に前記かごを前記避難階へ移動させる動作制御装置と、を備えた。
【発明の効果】
【０００７】
この発明によれば、建物に残された者を効率的に避難させることができる。
【図面の簡単な説明】
【０００８】
【図１】この発明の実施の形態１におけるエレベータ装置を利用した建物の構成図である。
【図２】この発明の実施の形態１におけるエレベータ装置を利用した救出階の乗場の正面図である。
【図３】この発明の実施の形態１におけるエレベータ装置の利用した避難階の乗場の正面図である。
【図４】この発明の実施の形態１におけるエレベータ装置のかご内の斜視図である。
【図５】この発明の実施の形態１におけるエレベータ装置の運転モードを説明するための図である。
【図６】この発明の実施の形態１におけるエレベータ装置の進入禁止表示装置等の状態を説明するための図である。
【図７】この発明の実施の形態１におけるエレベータ装置の通常運転モード時の動作を説明するためのフローチャートである。
【図８】この発明の実施の形態１におけるエレベータ装置の報知器運転モード時の動作を説明するためのフローチャートである。
【図９】この発明の実施の形態１におけるエレベータ装置の避難運転モード時の動作を説明するためのフローチャートである。
【図１０】この発明の実施の形態１におけるエレベータ装置の強制帰着運転モード時の動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化ないし省略される。
【００１０】
実施の形態１．
図１はこの発明の実施の形態１におけるエレベータ装置を利用した建物の構成図である。
【００１１】
図１において、建物には、複数の階が設けられる。例えば、建物には、１階〜１２階が設けられる。建物には、エレベータの昇降路１が設けられる。昇降路１は、建物の各階を貫く。建物の各階には、エレベータの乗場２が設けられる。各乗場２は、昇降路１に対向する。昇降路１内には、エレベータのかご３が設けられる。
【００１２】
例えば、建物には、３つの救出階が予め設定される。例えば、救出階４ａは、５階に設定される。例えば、救出階４ｂは、８階に設定される。例えば、救出階４ｃは、１１階に設定される。例えば、建物には、１つの避難階５が予め設定される。例えば、避難階５は、最下階の１階に設定される。
【００１３】
建物において火災等の災害が発生した場合、建物からの避難が必要となる。この場合、避難誘導員６ａは、担当の救出階４ａの乗場２に即座に駆け付ける。避難誘導員６ｂは、担当の救出階４ｂの乗場２に即座に駆け付ける。避難誘導員６ｃは、担当の救出階４ｃの乗場２に即座に駆け付ける。
【００１４】
避難誘導員６ａは、かご３を利用して避難者７ａを避難階５へ避難誘導する。避難誘導員６ｂは、かご３を利用して避難者７ｂを避難階５へ避難誘導する。避難誘導員６ｃは、かご３を利用して避難者７ｃを避難階５へ避難誘導する。
【００１５】
次に、図２を用いて、救出階４ａ〜４ｃの乗場２を説明する。
図２はこの発明の実施の形態１におけるエレベータ装置を利用した救出階の乗場の正面図である。
【００１６】
図２に示すように、乗場２の出入口には、扉８ａが設けられる。乗場２の出入口の一側には、乗場操作盤９ａが設けられる。乗場操作盤９ａの下部には、操作ボタンが設けられる。操作ボタンは、上方ボタン１０ａと下方ボタン１１ａとからなる。乗場操作盤９ａの上部には、位置表示装置１２ａと移動方向表示装置１３ａとが設けられる。位置表示装置１２ａは、かご３の位置を表示する。移動方向表示装置１３ａは、かご３の移動方向を表示する。
【００１７】
乗場操作盤９ａの上方には、避難誘導操作盤１４が設けられる。避難誘導操作盤１４は、避難運転モード要求スイッチ１５、通報装置１６、進入禁止表示装置１７、避難誘導表示装置１８を備える。
【００１８】
避難運転モード要求スイッチ１５は、避難誘導操作盤１４の中央に設けられる。通報装置１６は、避難運転モード要求スイッチ１５の下方に設けられる。通報装置１６は、通話ボタン１６ａとスピーカマイク１６ｂからなる。進入禁止表示装置１７は、避難運転モード要求スイッチ１５の上方に設けられる。避難誘導表示装置１８は、進入禁止表示装置１７の上方に設けられる。
【００１９】
乗場操作盤９ａと避難誘導操作盤１４とは、図示しない制御装置に接続される。
【００２０】
次に、図３を用いて、避難階５の乗場２を説明する。
図３はこの発明の実施の形態１におけるエレベータ装置を利用した避難階の乗場の正面図である。
【００２１】
図３に示すように、乗場２の出入口には、扉８ｂが設けられる。乗場２の出入口の一側には、乗場操作盤９ｂが設けられる。乗場操作盤９ｂの下部には、操作ボタンが設けられる。操作ボタンは、上方ボタン１０ｂからなる。乗場操作盤９ｂの上部には、位置表示装置１２ｂと移動方向表示装置１３ｂとが設けられる。位置表示装置１２ｂは、かご３の位置を表示する。移動方向表示装置１３ｂは、かご３の移動方向を表示する。
【００２２】
乗場操作盤９ｂの上方には、消防員用操作盤１９が設けられる。消防員用操作盤１９は、強制帰着運転モード要求スイッチ２０、通報装置２１、進入禁止表示装置２２、使用状態表示装置２３を備える。
【００２３】
強制帰着運転モード要求スイッチ２０は、消防員用操作盤１９の中央に設けられる。通報装置２１は、強制帰着運転モード要求スイッチ２０の下方に設けられる。通報装置２１は、通話ボタン２１ａとスピーカマイク２１ｂからなる。進入禁止表示装置２２は、強制帰着運転モード要求スイッチ２０の上方に設けられる。使用状態表示装置２３は、進入禁止表示装置２２の上方に設けられる。
【００２４】
乗場操作盤９ｂと消防員用操作盤１９とは、図示しない制御装置に接続される。
【００２５】
救出階４ａ〜４ｃと避難階５以外の階の乗場２には、進入禁止表示装置１７、２２と同等の禁止表示装置が設けられる。当該乗場２には、乗場操作盤９ａ、９ｂと同等の乗場操作盤が設けられる。
【００２６】
次に、図４を用いて、かご３内を説明する。
図４はこの発明の実施の形態１におけるエレベータ装置のかご内の斜視図である。
【００２７】
図４に示すように、かご３の出入口には、扉８ｃが設けられる。かご３の一側の側壁には、かご内操作盤２４が設けられる。かご内操作盤２４の下部には、操作ボタン２５が設けられる。かご内操作盤２４の上部には、位置表示装置１２ｃと移動方向表示装置１３ｃとが設けられる。位置表示装置１２ｃは、かご３の位置を表示する。移動方向表示装置１３ｃは、かご３の移動方向を表示する。
【００２８】
かご３の一側の側壁には、連絡装置２６が設けられる。連絡装置２６は、かご内操作盤２４よりもかご３の奥側に設けられる。連絡装置２６の下部には、通報装置２７が設けられる。通報装置２７は、通話ボタン２７ａとスピーカマイク２７ｂとからなる。連絡装置２６の上部には、避難誘導表示装置２８が設けられる。
【００２９】
かご内操作盤２４と連絡装置２６とは、図示しない制御装置に接続される。
【００３０】
次に、図５を用いて、エレベータ装置の運転モードを説明する。
図５はこの発明の実施の形態１におけるエレベータ装置の運転モードを説明するための図である。
【００３１】
図５において、ブロック２９ａは、通常運転モードに対応する。ブロック２９ｂは、報知器運転モードに対応する。ブロック２９ｃは、避難運転モードに対応する。ブロック２９ｄは、強制帰着運転モードに対応する。例えば、運転モードは、報知器の検知状態、避難運転モード要求スイッチ１５の状態、強制帰着運転モード要求スイッチ２０の状態に基づいて遷移する。
【００３２】
例えば、報知器は、火災等により避難が必要な状況を検知する。例えば、避難運転モード要求スイッチ１５は、避難誘導員６ａ等が所持する鍵等により操作された際に制御装置に対し避難運転モード要求に対応した信号を出力する。例えば、強制帰着運転モード要求スイッチ２０は、消防員が所持する鍵等により操作された際に制御装置に対し強制帰着運転モード要求に対応した信号を出力する。
【００３３】
図５において、矢印３０ａは、運転モードが通常運転モードから報知器運転モードへ遷移することを示す。矢印３０ｂは、運転モードが通常運転モードから避難運転モードに遷移することを示す。矢印３０ｃは、運転モードが通常運転モードから強制帰着運転モードに遷移することを示す。
【００３４】
矢印３０ｄは、運転モードが報知器運転モードから通常運転モードに遷移することを示す。矢印３０ｅは、運転モードが報知器運転モードから避難運転モードに遷移することを示す。矢印３０ｆは、運転モードが報知器運転モードから強制帰着運転モードに遷移することを示す。
【００３５】
矢印３０ｇは、運転モードが避難運転モードから通常運転モードに遷移することを示す。矢印３０ｈは、運転モードが避難運転モードから報知器運転モードに遷移することを示す。矢印３０ｉは、運転モードが避難運転モードから強制帰着運転モードに遷移することを示す。
【００３６】
矢印３０ｊは、運転モードが強制帰着運転モードから通常運転モードに遷移することを示す。矢印３０ｋは、運転モードが強制帰着運転モードから報知器運転モードに遷移することを示す。矢印３０ｌは、運転モードが強制帰着運転モードから避難運転モードに遷移することを示す。
【００３７】
通常運転モード時においては、乗場２の利用者は、移動したい方向に応じて操作ボタンを押す。例えば、利用者は、上方階に移動したい場合に上方ボタン１０ａを押す。例えば、利用者は、下方階に移動した場合に下方ボタン１１ａを押す。この際、制御装置は、当該操作の行われた乗場２のある階にかご３を移動させる。その後、制御装置は、扉８ｃ等を開放する。このため、利用者はかご３に乗ることができる。その後、利用者は、かご内操作盤２４の操作ボタン２５で行先階を指定する。制御装置は、当該行先階にかご３を移動させる。その後、制御装置は、扉８ｃ等を開放する。このため、利用者はかご３から降りることができる。
【００３８】
報知器運転モード時においては、制御装置は、かご呼びに応じない。この場合、制御装置は、かご３を避難階５に強制的に移動させる。かご３が避難階５に到着すると、制御装置は、予め設定された時間だけ扉８ｂ、８ｃを開放する。この際、制御装置は、かご３内の利用者をかご３外へ誘導する。例えば、制御装置は、アナウンスでかご３内の利用者をかご３外へ誘導する。例えば、制御装置は、チャイムでかご３内の利用者をかご３外へ誘導する。例えば、制御装置は、かご３内照明を一旦消灯することによりかご３内の利用者をかご３外へ誘導する。その後、予め設定された時間が経過すると、制御装置は、扉８ｂ、８ｃを閉鎖する。
【００３９】
避難運転モード時において、制御装置は、かご呼びに応じない。この場合、制御装置は、かご３を避難階５に強制的に移動させる。かご３が避難階５に到着すると、制御装置は、予め設定された時間だけ扉８ｂ、８ｃを開放する。この際、制御装置は、かご３内の利用者をかご３外へ誘導する。例えば、制御装置は、アナウンスでかご３内の利用者をかご３外へ誘導する。例えば、制御装置は、チャイムでかご３内の利用者をかご３外へ誘導する。例えば、制御装置は、かご３内照明を一旦消灯することによりかご３内の利用者をかご３外へ誘導する。その後、予め設定された時間が経過すると、制御装置は、扉８ｂ、８ｃを閉鎖する。
【００４０】
その後、制御装置は、避難運転モード要求スイッチ１５が操作された救出階（例えば、救出階４ａ）にかご３を移動させる。かご３が当該救出階に到着すると、制御装置は、扉８ａ、８ｃを開放する。この際、当該救出階の避難誘導員（例えば、避難誘導員６ａ）は、避難者（例えば、避難者７ａ）をかご３内へ誘導する。
【００４１】
この際、当該救出階の乗場２の操作ボタンは、動作制御装置として機能する。例えば、避難誘導員は、乗場２の操作ボタンを押すと、制御装置は、扉８ａ、８ｃを閉鎖する。その後、かご３は、かご呼びに応じない。その後、制御装置は、かご３を避難階５に強制的に移動させる。かご３が避難階５に到着すると、制御装置は、予め設定された時間だけ扉８ｂ、８ｃを開放する。この際、制御装置は、かご３内の利用者をかご３外へ誘導する。例えば、制御装置は、アナウンスでかご３内の利用者をかご３外へ誘導する。例えば、制御装置は、チャイムでかご３内の利用者をかご３外へ誘導する。例えば、制御装置は、かご３内照明を一旦消灯することによりかご３内の利用者をかご３外へ誘導する。その後、予め設定された時間が経過すると、制御装置は、扉８ｂ、８ｃを閉鎖する。
【００４２】
その後、制御装置は、避難運転モード要求スイッチ１５が操作された救出階（例えば、救出階４ａ）にかご３を再び移動させる。当該救出階と避難階５との行き来は、当該救出階において避難運転モード要求スイッチ１５の操作が解除されるまで継続する。
【００４３】
この際、各乗場２の位置表示装置１２ａ等は、救出階表示装置として機能する。この場合、各乗場２の位置表示装置１２ａ等は、避難運転モード要求スイッチ１５が操作された救出階の階床番号を表示する。各救出階４ａ〜４ｃの乗場２及び避難階５の乗場２だけに、避難運転モード要求スイッチ１５が操作された救出階の階床番号を位置表示装置１２ａ等に表示させてもよい。かご３が移動中の場合、各乗場２の移動方向表示装置１３ａ等は、かご３の移動方向を表示する。
【００４４】
避難誘導員が当該救出階で避難運転モード要求スイッチ１５の操作を解除すると、かごは、当該救出階と避難階５との行き来を停止する。その後、当該救出階とは異なる救出階で避難運転モード要求スイッチ１５が操作された場合は、制御装置は、当該避難運転モードとは異なる避難運転モードを実施する。具体的には、制御装置は、避難運転モード要求スイッチ１５が操作された救出階と避難階との間を行き来する避難運転モードを実施する。
【００４５】
各救出階の優先順位は、避難運転モード要求スイッチ１５が操作された順番をメモリで記憶し、当該順番に基づいて設定すればよい。１つの救出階に対する避難運転モードが終了した後、階床の高い救出階を優先し、避難運転モードを設定してもよい。１つの救出階に対する避難運転モードが終了した後、階床の低い救出階を優先し、避難運転モードを設定してもよい。避難に時間を要する救出階を優先し、避難運転モードを設定してもよい。具体的には、避難階５から遠い救出階を優先し、避難運転モードを設定してもよい。
【００４６】
強制帰着運転モード時においては、制御装置は、かご３を避難階５に強制的に移動させる。かご３が避難階５に到着すると、制御装置は、予め設定された時間だけ扉８ｂ、８ｃを開放する。この際、制御装置は、かご３内の利用者をかご３外へ誘導する。例えば、制御装置は、アナウンスでかご３内の利用者をかご３外へ誘導する。例えば、制御装置は、チャイムでかご３内の利用者をかご３外へ誘導する。例えば、制御装置は、かご３内照明を一旦消灯することによりかご３内の利用者をかご３外へ誘導する。
【００４７】
次に、図６を用いて、進入禁止表示装置１７、２２等の状態を説明する。
図６はこの発明の実施の形態１におけるエレベータ装置の進入禁止表示装置等の状態を説明するための図である。
【００４８】
図６において、「Ｒｕｎｎｉｎｇ  ｍｏｄｅ」は、運転モードを示す。「Ｎｏ−ｅｎｔｒｙ」は、進入禁止表示装置１７、２２の状態を示す。「ＥＶ−ｓｉｇｎ  １」は、避難誘導表示装置１８の状態を示す。「ＥＶ−ｓｉｇｎ  ２」は、避難誘導表示装置２８の状態を示す。「ＥＶ−ｓｉｇｎ  ３」は、使用状態表示装置２３の状態を示す。「Ｉｎｔｅｒｃｏｍ」は、通報装置１６、２１、２７の状態を示す。
【００４９】
通常運転モード時と最寄階停止運転モード時との状態は、「Ｒｕｎｎｉｎｇ  ｍｏｄｅ」の項の「ｎｏｒｍａｌ、ＮＦ」に示される。この場合、進入禁止表示装置１７、２２は、何も表示しない。避難誘導表示装置１８は、何も表示しない。避難誘導表示装置２８は、何も表示しない。使用状態表示装置２３は、何も表示しない。通報装置１６、２１、２７は、通常動作を実施する。例えば、利用者がかご３内に閉じ込められた際、通話ボタン２７ａを押せば、スピーカマイク２７ｂにより電話回線等を介して外部と通話し得る。
【００５０】
報知器運転モード時の状態は、「Ｒｕｎｎｉｎｇ  ｍｏｄｅ」の項の「Ａｌａｒｍ」に示される。この場合、進入禁止表示装置１７、２２は、エレベータが使用禁止である旨を表示する。避難誘導表示装置１８は、避難にかご３を利用できる旨を表示する。避難誘導表示装置２８は、避難にかご３を利用できる旨を表示する。使用状態表示装置２３は、避難にかご３を利用している旨を表示する。通報装置１６、２１、２７は、通常動作を実施する。例えば、利用者がかご３内に閉じ込められた際、通話ボタン２７ａを押せば、スピーカマイク２７ｂにより電話回線等を介して外部と通話し得る。
【００５１】
避難運転モード時の状態は、「Ｒｕｎｎｉｎｇ  ｍｏｄｅ」の項の「Ｆｉｒｅ  Ｗａｒｄｅｎ」に示される。この場合、進入禁止表示装置１７、２２は、何も表示しない。避難誘導表示装置１８は、避難にかご３を利用できる旨を表示する。避難誘導表示装置２８は、避難にかご３を利用できる旨を表示する。使用状態表示装置２３は、避難にかご３を利用している旨を表示する。通報装置１６、２１、２７の動作は、避難通話動作に切り替えられる。この場合、各救出階４ａ〜４ｃ、避難階５、かご３内において、通話ボタン１６ａ等を押せば、スピーカマイク１６ｂ等を利用して、各救出階４ａ〜４ｃ、避難階５、かご３内の間で通話し得る。建物の管理人室、エレベータ装置の機械室等、多数の場所の間で通話し得るようにしてもよい。
【００５２】
強制帰着運転モード時の状態は、「Ｒｕｎｎｉｎｇ  ｍｏｄｅ」の項の「Ｃａｌｌ  ｂａｃｋ」に示される。この場合、進入禁止表示装置１７、２２は、エレベータが使用禁止である旨を表示する。避難誘導表示装置１８は、何も表示しない。避難誘導表示装置２８は、何も表示しない。使用状態表示装置２３は、何も表示しない。通報装置１６、２１、２７の動作は、避難通話動作に切り替えられる。この場合、各救出階４ａ〜４ｃ、避難階５、かご３内において、通話ボタン１６ａ等を押せば、スピーカマイク１６ｂ等を利用して、各救出階４ａ〜４ｃ、避難階５、かご３内の間で通話し得る。建物の管理人室、エレベータ装置の機械室等、多数の場所の間で通話し得るようにしてもよい。
【００５３】
次に、図７〜図１０を用いて、エレベータ装置の動作を説明する。
図７はこの発明の実施の形態１におけるエレベータ装置の通常運転モード時の動作を説明するためのフローチャートである。図８はこの発明の実施の形態１におけるエレベータ装置の報知器運転モード時の動作を説明するためのフローチャートである。図９はこの発明の実施の形態１におけるエレベータ装置の避難運転モード時の動作を説明するためのフローチャートである。図１０はこの発明の実施の形態１におけるエレベータ装置の強制帰着運転モード時の動作を説明するためのフローチャートである。
【００５４】
図７〜図１０において、報知器の作動は、「ＡＬ＝“ＯＮ”」で示される。避難運転モード要求がある状態は、「ＦＷ＝“ＯＮ”」で示される。強制帰着運転モード要求がある状態は、「ＣＢ＝“ＯＮ”」で示される。
【００５５】
図７の通常運転モード時において、ステップＳ１では、制御装置は、報知器が作動しているか否かを判定する。ステップＳ１で報知器が作動していない場合は、ステップＳ２に進む。ステップＳ２では、制御装置は、避難運転モード要求があるか否かを判定する。
【００５６】
ステップＳ２で避難運転モード要求がない場合は、ステップＳ３に進む。ステップＳ３では、制御装置は、強制帰着運転モード要求があるか否かを判定する。ステップＳ３で強制帰着運転モード要求がない場合は、ステップＳ４に進む。
【００５７】
ステップＳ４では、制御装置は、通常運転モードを維持する。この場合、制御装置は、予め設定された周期でステップＳ１の判定を繰り返す。この際、割り込み動作でステップＳ１に戻ってもよい。
【００５８】
ステップＳ１で報知器が作動している場合は、ステップＳ５に進む。ステップＳ５では、制御装置は、運転モードを報知器運転モードに変更する。ステップＳ２で避難運転モード要求がある場合は、ステップＳ６に進む。ステップＳ６では、制御装置は、運転モードを避難運転モードに変更する。ステップＳ３で強制帰着運転モード要求がある場合は、ステップＳ７に進む。ステップＳ７では、制御装置は、運転モードを強制帰着運転モードに変更する。
【００５９】
図８の報知器運転モード時において、ステップＳ１１では、制御装置は、報知器が作動しているか否かを判定する。ステップＳ１１で報知器が作動している場合は、ステップＳ１２に進む。ステップＳ１２では、制御装置は、避難運転モード要求があるか否かを判定する。
【００６０】
ステップＳ１２で避難運転モード要求がない場合は、ステップＳ１３に進む。ステップＳ１３では、制御装置は、強制帰着運転モード要求があるか否かを判定する。ステップＳ１３で強制帰着運転モード要求がない場合は、ステップＳ１４に進む。
【００６１】
ステップＳ１４では、制御装置は、報知器運転モードを維持する。この場合、制御装置は、予め設定された周期でステップＳ１１の判定を繰り返す。この際、割り込み動作でステップＳ１１に戻ってもよい。
【００６２】
ステップＳ１１で報知器が作動していない場合は、ステップＳ１５に進む。ステップＳ１５では、制御装置は、運転モードを通常運転モードに変更する。ステップＳ１２で避難運転モード要求がある場合は、ステップＳ１６に進む。ステップＳ１６では、制御装置は、運転モードを避難運転モードに変更する。ステップＳ１３で強制帰着運転モード要求がある場合は、ステップＳ１７に進む。ステップＳ１７では、制御装置は、運転モードを強制帰着運転モードに変更する。
【００６３】
図９の避難運転モード時において、ステップＳ２１では、制御装置は、避難運転モード要求があるか否かを判定する。ステップＳ２１で避難運転モード要求がある場合は、ステップＳ２２に進む。ステップＳ２２では、制御装置は、強制帰着運転モード要求があるか否かを判定する。
【００６４】
ステップＳ２２で強制帰着運転モード要求がない場合は、ステップＳ２３に進む。ステップＳ２３では、制御装置は、避難運転モードを維持する。この場合、制御装置は、予め設定された周期でステップＳ２１の判定を繰り返す。割り込み動作でステップＳ２１に戻ってもよい。
【００６５】
ステップＳ２１で避難運転モード要求がない場合は、ステップＳ２４に進む。ステップＳ２４では、制御装置は、報知器が作動しているか否かを判定する。ステップＳ２４で報知器が作動している場合は、ステップＳ２５に進む。ステップＳ２５では、制御装置は、運転モードを報知器運転モードに変更する。
【００６６】
ステップＳ２４で報知器が作動していない場合は、ステップＳ２６に進む。ステップＳ２６では、制御装置は、運転モードを最寄階停止運転モードに変更する。この場合、かご３は、最寄階で一旦停止する。その後、ステップＳ２７に進み、制御装置は、運転モードを通常運転モードに変更する。
【００６７】
ステップＳ２２で強制帰着運転モード要求がある場合は、ステップＳ２８に進む。ステップＳ２８では、制御装置は、運転モードを強制帰着運転モードに変更する。
【００６８】
図１０の強制帰着運転モード時において、ステップＳ３１では、制御装置は、強制帰着運転モード要求があるか否かを判定する。ステップＳ３１で強制帰着運転モード要求がある場合は、ステップＳ３２に進む。ステップＳ３２では、制御装置は、強制帰着運転を維持する。この場合、制御装置は、予め設定された周期でステップＳ３１の判定を繰り返す。割り込み動作でステップＳ３１に戻ってもよい。
【００６９】
ステップＳ３１で強制帰着運転モード要求がない場合は、ステップＳ３３に進む。ステップＳ３３では、制御装置は、避難運転モード要求があるか否かを判定する。ステップＳ３３で避難運転モード要求がある場合は、ステップＳ３４に進む。ステップＳ３４では、制御装置は、運転モードを避難運転モードに変更する。
【００７０】
ステップＳ３３で避難運転モード要求がない場合は、ステップＳ３５に進む。ステップＳ３５では、制御装置は、報知器運転モード要求があるか否かを判定する。ステップＳ３５で報知器運転モード要求がある場合は、ステップＳ３６に進む。ステップＳ３６では、制御装置は、運転モードを報知器運転モードに変更する。
【００７１】
ステップＳ３５で報知器運転モード要求がない場合は、ステップＳ３７に進む。ステップＳ３７では、制御装置は、運転モードを最寄階停止運転モードに変更する。その後、ステップＳ３８に進み、制御装置は、運転モードを通常運転モードに変更する。
【００７２】
以上で説明した実施の形態１によれば、避難運転モード要求スイッチ１５が操作された状態に維持されている場合は、かご３は、当該救出階と避難階５との間の行き来を継続する。この際、避難誘導員が予め設定された操作を行うまで、かご３は当該救出階に停止し続ける。このため、当該救出階から大量の利用者を避難させる場合の効率がよい。その結果、建物に残された者を効率的に避難させることができる。
【００７３】
この際、予め設定された操作を行うまで、扉３ａ、３ｃは開放し続ける。このため、大量の利用者を容易にかご３に誘導できる。
【００７４】
また、各乗場２には、当該救出階の階床番号が表示される。このため、各乗場２の利用者は、かご３を利用して避難する際に利用される乗場２を認識することができる。この際、かご３の移動方向も表示される。すなわち、各乗場２には、避難運転の状況が詳細に表示される。このため、避難時の混乱を防ぐことができる。
【００７５】
また、救出階の乗場２又はかご３内には、避難にかご３を利用できる旨が表示される。このため、利用者は、安心してかご３を利用して避難することができる。
【００７６】
また、避難階５の乗場には、避難にかご３を利用している旨が表示される。このため、消防員は、かご３を利用した避難誘導を適切に行っていることを認識することができる。
【００７７】
また、救出階、避難階５、かご３内には、通報装置１６等が設けられる。このため、避難誘導員、消防員、利用者は互いに意思疎通を図ることができる。その結果、避難時の混乱を防ぐことができる。
【００７８】
また、強制帰着運転モード要求スイッチ２０が操作された際、かご３は避難階５に帰着する。このため、消防員は、状況に応じて避難運転モードを停止したり再開したりすることができる。
【００７９】
なお、救出階以外の階の乗場において、避難運転モード時において前記かごへ進入できない旨を表示する進入禁止表示装置を設けてもよい。この場合、当該乗場において、利用者は、かご３を利用した避難ができないことを認識できる。
【００８０】
また、通報装置１６等に、モニタを設けてもよい。この場合、通常運転モード時においては、建物内の案内、宣伝、広告等をモニタに表示すればよい。通報装置１６等の動作が避難通話動作に切り替わった際は、建物の複数地点に配置された避難誘導員６ａ〜６ｃの間で避難誘導の際に共有すべき情報をモニタに表示すればよい。例えば、避難経路上、エレベータの乗降口等に設けられたカメラが撮影した映像をモニタに表示すればよい。例えば、通報装置１６等の近傍に設けられたカメラが撮影した通話中の避難誘導員６ａ等又は周辺映像をモニタに表示すればよい。例えば、これらの映像を自動的に切り替えてモニタに表示してもよい。
【産業上の利用可能性】
【００８１】
以上のように、この発明に係るエレベータ装置は、建物に残された人を効率的に避難させるシステムに利用できる。
【符号の説明】
【００８２】
１  昇降路、  ２  乗場、  ３  かご、  ４ａ〜４ｃ  救出階、  ５  避難階、  ６ａ〜６ｃ  避難誘導員、  ７ａ〜７ｃ  避難者、  ８ａ〜８ｃ  扉、  ９ａ、９ｂ  乗場操作盤、  １０ａ、１０ｂ  上方ボタン、  １１ａ  下方ボタン、  １２ａ〜１２ｃ  位置表示装置、  １３ａ〜１３ｃ  移動方向表示装置、  １４  避難誘導操作盤、  １５  避難運転モード要求スイッチ、  １６  通報装置、  １６ａ  通話ボタン、  １６ｂ  スピーカマイク、  １７  進入禁止表示装置、  １８  避難誘導表示装置、  １９  消防員用操作盤、  ２０  強制帰着運転モード要求スイッチ、  ２１  通報装置、  ２１ａ  通話ボタン、  ２１ｂ  スピーカマイク、  ２２  進入禁止表示装置、  ２３  使用状態表示装置、  ２４  かご内操作盤、  ２５  操作ボタン、  ２６  連絡装置、  ２７  通報装置、  ２７ａ  通話ボタン、  ２７ｂ  スピーカマイク、  ２８  避難誘導表示装置、  ２９ａ〜２９ｄ  ブロック、  ３０ａ〜３０ｌ  矢印
【図１】
2015040669.tif 000003
【図２】
2015040669.tif 000004
【図３】
2015040669.tif 000005
【図４】
2015040669.tif 000006
【図５】
2015040669.tif 000007
【図６】
2015040669.tif 000008
【図７】
2015040669.tif 000009
【図８】
2015040669.tif 000010
【図９】
2015040669.tif 000011
【図１０】
2015040669.tif 000012
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
救出階においてエレベータの乗場に設けられた避難運転モード要求スイッチと、
前記避難運転モード要求スイッチが操作された状態に維持されている場合は、前記救出階と避難階との間を行き来する避難運転モードでの動作を維持するかごと、
前記救出階において前記エレベータの乗場に前記避難運転モード要求スイッチとは別に設けられ、前記避難運転モード要求スイッチが操作された状態に維持されていることにより前記かごが避難運転モードでの動作を維持している状態において、前記かごが前記救出階に停止している際に操作された場合に前記かごを前記避難階へ移動させるボタンと、
を備えたエレベータ装置。
【請求項２】
前記ボタンは、前記かごが前記救出階に停止している際に操作された場合に前記エレベータの扉を閉鎖する請求項１に記載のエレベータ装置。
【請求項３】
前記エレベータの乗場に設けられ、前記避難運転モード要求スイッチが操作された救出階に対応した番号を表示する救出階表示装置と、
前記エレベータの乗場に設けられ、前記かごの移動方向を表示する移動方向表示装置と、
を備えた請求項１又は請求項２に記載のエレベータ装置。
【請求項４】
前記救出階の乗場又は前記かご内に設けられ、避難に前記かごを利用できる旨を表示する避難誘導表示装置、
を備えた請求項１〜請求項３のいずれか一項に記載のエレベータ装置。
【請求項５】
前記避難階の乗場に設けられ、避難に前記かごを利用している旨を表示する使用状態表示装置、
を備えた請求項１〜請求項４のいずれか一項に記載のエレベータ装置。
【請求項６】
前記救出階以外の階において前記エレベータの乗場に設けられ、前記避難運転モード要求スイッチが操作された状態に維持されている際に前記かごへ進入できない旨を表示する第１進入禁止表示装置、
を備えた請求項１〜請求項５のいずれか一項に記載のエレベータ装置。
【請求項７】
前記救出階の乗場と前記避難階の乗場と前記かご内に設けられ、互いを利用して通話し得るように設けられた通報装置、
を備えた請求項１〜請求項６のいずれか一項に記載のエレベータ装置。
【請求項８】
前記避難階の乗場に設けられた強制帰着運転モード要求スイッチ、
を備え、
前記かごは、前記強制帰着運転モード要求スイッチが操作された際に前記避難階に帰着する請求項１〜請求項７のいずれか一項に記載のエレベータ装置。
【請求項９】
前記救出階の乗場及び前記避難階の乗場に設けられ、前記強制帰着運転モード要求スイッチが操作された際に前記かごへ進入できない旨を表示する第２進入禁止表示装置、
を備えた請求項８に記載のエレベータ装置。
【手続補正２】
【補正対象書類名】明細書
【補正対象項目名】０００６
【補正方法】変更
【補正の内容】
【０００６】
この発明に係るエレベータ装置は、救出階においてエレベータの乗場に設けられた避難運転モード要求スイッチと、前記避難運転モード要求スイッチが操作された状態に維持されている場合は、前記救出階と避難階との間を行き来する避難運転モードでの動作を維持するかごと、前記救出階において前記エレベータの乗場に前記避難運転モード要求スイッチとは別に設けられ、前記避難運転モード要求スイッチが操作された状態に維持されていることにより前記かごが避難運転モードでの動作を維持している状態において、前記かごが前記救出階に停止している際に操作された場合に前記かごを前記避難階へ移動させるボタンと、を備えた。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
救出階においてエレベータの乗場に設けられた避難運転モード要求スイッチと、
前記救出階において前記エレベータの乗場に前記避難運転モード要求スイッチとは別に設けられた操作ボタンと、
通常運転モード時に前記操作ボタンが操作されると当該操作の行われた乗場のある階に移動するかごと、
を備え、
前記かごは、前記避難運転モード要求スイッチが操作された状態に維持されている場合に前記救出階と避難階との間を行き来する避難運転モードでの動作を維持され、当該避難運転モードにおいて前記救出階に停止している際に前記操作ボタンが操作されると前記避難階へ移動する
ことを特徴とするエレベータ装置。
【請求項２】
前記操作ボタンは、前記かごが前記救出階に停止している際に操作された場合に前記エレベータの扉を閉鎖する請求項１に記載のエレベータ装置。
【請求項３】
前記エレベータの乗場に設けられ、前記避難運転モード要求スイッチが操作された救出階に対応した番号を表示する救出階表示装置と、
前記エレベータの乗場に設けられ、前記かごの移動方向を表示する移動方向表示装置と、
を備えた請求項１又は請求項２に記載のエレベータ装置。
【請求項４】
前記救出階の乗場又は前記かご内に設けられ、避難に前記かごを利用できる旨を表示する避難誘導表示装置、
を備えた請求項１〜請求項３のいずれか一項に記載のエレベータ装置。
【請求項５】
前記避難階の乗場に設けられ、避難に前記かごを利用している旨を表示する使用状態表示装置、
を備えた請求項１〜請求項４のいずれか一項に記載のエレベータ装置。
【請求項６】
前記救出階以外の階において前記エレベータの乗場に設けられ、前記避難運転モード要求スイッチが操作された状態に維持されている際に前記かごへ進入できない旨を表示する第１進入禁止表示装置、
を備えた請求項１〜請求項５のいずれか一項に記載のエレベータ装置。
【請求項７】
前記救出階の乗場と前記避難階の乗場と前記かご内に設けられ、互いを利用して通話し得るように設けられた通報装置、
を備えた請求項１〜請求項６のいずれか一項に記載のエレベータ装置。
【請求項８】
前記避難階の乗場に設けられた強制帰着運転モード要求スイッチ、
を備え、
前記かごは、前記強制帰着運転モード要求スイッチが操作された際に前記避難階に帰着する請求項１〜請求項７のいずれか一項に記載のエレベータ装置。
【請求項９】
前記救出階の乗場及び前記避難階の乗場に設けられ、前記強制帰着運転モード要求スイッチが操作された際に前記かごへ進入できない旨を表示する第２進入禁止表示装置、
を備えた請求項８に記載のエレベータ装置。
【手続補正２】
【補正対象書類名】明細書
【補正対象項目名】０００６
【補正方法】変更
【補正の内容】
【０００６】
この発明に係るエレベータ装置は、救出階においてエレベータの乗場に設けられた避難運転モード要求スイッチと、前記救出階において前記エレベータの乗場に前記避難運転モード要求スイッチとは別に設けられた操作ボタンと、通常運転モード時に前記操作ボタンが操作されると当該操作の行われた乗場のある階に移動するかごと、を備え、前記かごは、前記避難運転モード要求スイッチが操作された状態に維持されている場合に前記救出階と避難階との間を行き来する避難運転モードでの動作を維持され、当該避難運転モードにおいて前記救出階に停止している際に前記操作ボタンが操作されると前記避難階へ移動することを特徴とする。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
救出階においてエレベータの乗場に設けられた避難運転モード要求スイッチと、
前記救出階において前記エレベータの乗場に前記避難運転モード要求スイッチとは別に設けられた操作ボタンと、
通常運転モード時に前記操作ボタンが操作されると当該操作の行われた乗場のある階に移動するかごと、
前記かごの運転を制御する制御装置と、
を備え、
前記かごは、前記避難運転モード要求スイッチが操作された状態に維持されている場合に前記救出階と避難階との間を行き来する避難運転モードでの動作を維持され、当該避難運転モードにおいて前記救出階に停止している際に前記操作ボタンが操作されると前記避難階へ移動し、
前記制御装置は、前記かごが前記救出階に到着すると前記かごの扉を開放する
ことを特徴とするエレベータ装置。
【請求項２】
前記操作ボタンは、前記かごが前記救出階に停止している際に操作された場合に前記エレベータの扉を閉鎖する請求項１に記載のエレベータ装置。
【請求項３】
前記エレベータの乗場に設けられ、前記避難運転モード要求スイッチが操作された救出階に対応した番号を表示する救出階表示装置と、
前記エレベータの乗場に設けられ、前記かごの移動方向を表示する移動方向表示装置と、
を備えた請求項１又は請求項２に記載のエレベータ装置。
【請求項４】
前記救出階の乗場又は前記かご内に設けられ、避難に前記かごを利用できる旨を表示する避難誘導表示装置、
を備えた請求項１〜請求項３のいずれか一項に記載のエレベータ装置。
【請求項５】
前記避難階の乗場に設けられ、避難に前記かごを利用している旨を表示する使用状態表示装置、
を備えた請求項１〜請求項４のいずれか一項に記載のエレベータ装置。
【請求項６】
前記救出階以外の階において前記エレベータの乗場に設けられ、前記避難運転モード要求スイッチが操作された状態に維持されている際に前記かごへ進入できない旨を表示する第１進入禁止表示装置、
を備えた請求項１〜請求項５のいずれか一項に記載のエレベータ装置。
【請求項７】
前記救出階の乗場と前記避難階の乗場と前記かご内に設けられ、互いを利用して通話し得るように設けられた通報装置、
を備えた請求項１〜請求項６のいずれか一項に記載のエレベータ装置。
【請求項８】
前記避難階の乗場に設けられた強制帰着運転モード要求スイッチ、
を備え、
前記かごは、前記強制帰着運転モード要求スイッチが操作された際に前記避難階に帰着する請求項１〜請求項７のいずれか一項に記載のエレベータ装置。
【請求項９】
前記救出階の乗場及び前記避難階の乗場に設けられ、前記強制帰着運転モード要求スイッチが操作された際に前記かごへ進入できない旨を表示する第２進入禁止表示装置、
を備えた請求項８に記載のエレベータ装置。
【手続補正２】
【補正対象書類名】明細書
【補正対象項目名】０００６
【補正方法】変更
【補正の内容】
【０００６】
この発明に係るエレベータ装置は、救出階においてエレベータの乗場に設けられた避難運転モード要求スイッチと、前記救出階において前記エレベータの乗場に前記避難運転モード要求スイッチとは別に設けられた操作ボタンと、通常運転モード時に前記操作ボタンが操作されると当該操作の行われた乗場のある階に移動するかごと、前記かごの運転を制御する制御装置と、を備え、前記かごは、前記避難運転モード要求スイッチが操作された状態に維持されている場合に前記救出階と避難階との間を行き来する避難運転モードでの動作を維持され、当該避難運転モードにおいて前記救出階に停止している際に前記操作ボタンが操作されると前記避難階へ移動し、前記制御装置は、前記かごが前記救出階に到着すると前記かごの扉を開放することを特徴とする。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
救出階においてエレベータの乗場に設けられた避難運転モード要求スイッチと、
前記救出階において前記エレベータの乗場に前記避難運転モード要求スイッチとは別に設けられた操作ボタンと、
通常運転モード時に前記操作ボタンが操作されると当該操作の行われた乗場のある階に移動するかごと、
前記かごの運転を制御し、前記避難運転モード要求スイッチが操作された状態に維持されている場合に前記かごに対して前記救出階と避難階との間を行き来する避難運転モードでの動作を維持させ、当該避難運転モードにおいて前記かごが前記救出階に到着すると前記かごの扉を開放し、その後、前記かごが前記救出階に停止している際に前記救出階の前記操作ボタンが操作されると前記かごの扉を閉鎖し、その後、前記かごを前記避難階へ移動させる制御装置と、
を備えたことを特徴とするエレベータ装置。
【請求項２】
前記エレベータの各階の乗場に設けられ、前記避難運転モード要求スイッチが操作された救出階に対応した番号を表示する救出階表示装置と、
前記エレベータの各階の乗場に設けられ、前記かごの移動方向を表示する移動方向表示装置と、
を備えた請求項１に記載のエレベータ装置。
【請求項３】
前記救出階の乗場又は前記かご内に設けられ、避難に前記かごを利用できる旨を表示する避難誘導表示装置、
を備えた請求項１又は請求項２に記載のエレベータ装置。
【請求項４】
前記避難階の乗場に設けられ、避難に前記かごを利用している旨を表示する使用状態表示装置、
を備えた請求項１〜請求項３のいずれか一項に記載のエレベータ装置。
【請求項５】
前記救出階以外の階において前記エレベータの乗場に設けられ、前記避難運転モード要求スイッチが操作された状態に維持されている際に前記かごへ進入できない旨を表示する第１進入禁止表示装置、
を備えた請求項１〜請求項４のいずれか一項に記載のエレベータ装置。
【請求項６】
前記救出階の乗場と前記避難階の乗場と前記かご内に設けられ、互いを利用して通話し得るように設けられた通報装置、
を備えた請求項１〜請求項５のいずれか一項に記載のエレベータ装置。
【請求項７】
前記避難階の乗場に設けられた強制帰着運転モード要求スイッチ、
を備え、
前記かごは、前記強制帰着運転モード要求スイッチが操作された際に前記避難階に帰着する請求項１〜請求項６のいずれか一項に記載のエレベータ装置。
【請求項８】
前記救出階の乗場及び前記避難階の乗場に設けられ、前記強制帰着運転モード要求スイッチが操作された際に前記かごへ進入できない旨を表示する第２進入禁止表示装置、
を備えた請求項７に記載のエレベータ装置。
【手続補正２】
【補正対象書類名】明細書
【補正対象項目名】０００６
【補正方法】変更
【補正の内容】
【０００６】
この発明に係るエレベータ装置は、救出階においてエレベータの乗場に設けられた避難運転モード要求スイッチと、前記救出階において前記エレベータの乗場に前記避難運転モード要求スイッチとは別に設けられた操作ボタンと、通常運転モード時に前記操作ボタンが操作されると当該操作の行われた乗場のある階に移動するかごと、前記かごの運転を制御し、前記避難運転モード要求スイッチが操作された状態に維持されている場合に前記かごに対して前記救出階と避難階との間を行き来する避難運転モードでの動作を維持させ、当該避難運転モードにおいて前記かごが前記救出階に到着すると前記かごの扉を開放し、その後、前記かごが前記救出階に停止している際に前記操作ボタンが操作されると前記かごの扉を閉鎖し、その後、前記かごを前記避難階へ移動させる制御装置と、を備えたことを特徴とする。
【国際調査報告】
2015040669.tif 000013
2015040669.tif 000014
2015040669.tif 000015
2015040669.tif 000016